(57)【要約】【課題】この発明は、特定のかご位置のみで、保守点検対象機器の高さ全体を保守点検することができ、保守点検作業効率を高めるとともに、保守点検対象機器の扉を複数に分割したり、筐体構造を複雑にすることのないエレベータの保守点検装置を得る。【解決手段】エレベータの保守点検装置１０は、伸縮可能に構成され、下端部が乗りかご２の上面に第１軸１８周りに回動可能に連結され、第１軸１８を中心として、乗りかご２の上面に沿った収納位置と乗りかご２の上面から起立する起立位置との間を回動可能に構成される梯子を備えている。【選択図】図１
2015229563.tif 000002
【特許請求の範囲】
【請求項１】
安全柵が周縁部に設けられた乗りかごの上面に設置されるエレベータの保守点検装置において、
伸縮可能に構成され、下端部が上記乗りかごの上面に第１軸周りに回動可能に連結され、上記第１軸を中心として、上記乗りかごの上面に沿った収納位置と上記乗りかごの上面から起立する起立位置との間を回動可能に構成される梯子を備えているエレベータの保守点検装置。
【請求項２】
上記第１軸の軸方向に離間して、上記梯子の伸長方向の先端側から登り面側に立設された一対の手摺と、
上記一対の手摺の上記梯子と反対側を連結する保護覆いと、を備えている請求項１記載のエレベータの保守点検装置。
【請求項３】
上記梯子は、
伸縮可能に構成され、下端部が上記乗りかごの上面に上記第１軸周りに回動可能に連結された第１梯子部と、
下端部が上記第１梯子部の上端部に上記第１軸と平行な第２軸周りに回動可能に連結され、上記第２軸を中心として、上記第１梯子部の伸長方向に伸びる伸長位置と上記第１梯子部の登り面と反対側の面に沿った折りたたみ位置との間を回動する第２梯子部と、を備えている請求項１又は請求項２記載のエレベータの保守点検装置。
【発明の詳細な説明】
【技術分野】
【０００１】
この発明は、昇降路に設置されたエレベータ機器の保守点検作業などに用いられるエレベータの保守点検装置に関するものである。
【背景技術】
【０００２】
従来のエレベータにおいて、複数の制御盤が、昇降路を画成する側壁と乗りかごとの間に上下方向に隣接させて、かつ、複数の制御盤を形成する筐体の乗りかご側に面する面を平坦に揃えて、設置されていた（例えば、特許文献１参照）。特許文献１における従来のエレベータでは、複数の制御盤を形成する筐体の乗りかご側に面する面が平坦に揃えられているので、他の制御盤の扉部よりも扉部が引っ込んだ状態の制御盤がなくなる。これにより、作業者から作業箇所が遠くなることや、作業箇所が他の制御盤の陰になることによって、内部の視認性が悪くなったり、手を伸ばして制御盤内の機器を取り扱うことがし難くなる制御盤や、扉部を外せない制御盤などをなくすことができ、制御盤の保守および点検などの作業の作業性を向上できる、としている。
【先行技術文献】
【特許文献】
【０００３】
【特許文献１】特開２００３−０２０１７１号公報
【発明の概要】
【発明が解決しようとする課題】
【０００４】
一般に、昇降路に設けられた制御などのエレベータ機器の保守点検作業を乗りかごの上から行う場合には、保守点検対象機器に手が届くよう、乗りかごを適切な位置へ移動して、保守点検作業を行っている。
【０００５】
しかしながら、特許文献１における従来のエレベータでは、保守点検対象機器である複数の制御盤を上下方向に隣接して配置しているので、特定のかご位置で、全ての制御盤を保守点検することはできない。そこで、全ての制御盤を点検するためには、乗りかごを動かしてかご高さ位置を変更する必要があり、保守点検作業効率が低下する、という課題があった。さらに、扉部を開いて制御盤の保守点検面を開放することになるが、開いた扉部が乗りかごの昇降領域にまで突出することが多く、乗りかごを動かすたびに保守点検面を閉じる必要があり、保守点検作業効率が低下する、という課題があった。
【０００６】
又、逆の言い方をすれば、機能部分毎に保守点検を可能とするために、保守点検が可能となるかご高さ位置に合わせて、保守点検面の扉部を複数に分割したり、筐体構造を複雑にせざるを得ないという課題もあった。
【０００７】
この発明は、上記のような問題点を解決するためになされたもので、特定のかご位置のみで、縦方向の高さ寸法が大きな保守点検対象機器の高さ全体を保守点検することができ、保守点検作業効率を高めるとともに、保守点検対象機器の扉を複数に分割したり、筐体構造を複雑にすることのないエレベータの保守点検装置を得ることを目的としている。
【課題を解決するための手段】
【０００８】
この発明によるエレベータの保守点検装置は、安全柵が周縁部に設けられた乗りかごの上面に設置され、伸縮可能に構成され、下端部が上記乗りかごの上面に第１軸周りに回動可能に連結され、上記第１軸を中心として、上記乗りかごの上面に沿った収納位置と上記乗りかごの上面から起立する起立位置との間を回動可能に構成される梯子を備えている。
【発明の効果】
【０００９】
この発明によれば、梯子が伸縮可能に構成されているので、特定のかご位置で、梯子の伸長長さを変えることにより作業員の作業高さ位置を変えることができ、縦方向の高さ寸法が大きな保守点検対象機器の高さ全体を保守点検することができる。
【図面の簡単な説明】
【００１０】
【図１】この発明の実施の形態１におけるエレベータの保守点検装置を用いた保守点検作業を説明する正面断面図である。
【図２】この発明の実施の形態１におけるエレベータの保守点検装置を用いた保守点検作業を説明する側断面図である。
【図３】この発明の実施の形態１におけるエレベータの保守点検装置の収納状態を示す正面断面図である。
【発明を実施するための形態】
【００１１】
実施の形態１．
図１はこの発明の実施の形態１におけるエレベータの保守点検装置を用いた保守点検作業を説明する正面断面図、図２はこの発明の実施の形態１におけるエレベータの保守点検装置を用いた保守点検作業を説明する側断面図、図３はこの発明の実施の形態１におけるエレベータの保守点検装置の収納状態を示す正面断面図である。
【００１２】
図１から図３において、エレベータは、一対のかご用ガイドレール３に案内されて昇降１内に昇降可能に配設される乗りかご２と、かご用ガイドレール３に固着されたブラケット４に取り付けられて、乗りかご２の幅方向一側と昇降路１の壁面との相対する領域内の奥行き方向前側に配設される保守点検対象機器としての制御盤６と、乗りかご２の上面に設置された保守点検装置１０と、を備える。そして、図示していないが、乗りかご２が巻上機の綱車に巻き掛けられたロープの一端に連結固定され、つり合いおもりがロープの他端に連結固定され、乗りかご２およびつり合いおもりが昇降路１内を昇降可能となっている。また、安全柵５が、乗りかご２の上面の周縁部に設けられている。
【００１３】
ここで、乗りかご２のかご戸２ａは両開き引き戸であり、幅方向とは、かご戸２ａの開閉方向である。また、奥行き方向とは、かご戸２ａの開閉方向と鉛直方向の両者に直交する方向であり、かご戸２ａ側が奥行き方向の前側となる。
【００１４】
保守点検装置１０は、伸縮可能に構成され、乗りかご２の上面に、下端部を第１軸１８周りに回動可能に取り付けられた第１梯子部１１と、第１梯子部１１の先端部に第２軸２４周りに回動可能に連結された第２梯子部２０と、からなる梯子を備える。
【００１５】
第１梯子部１１は、ステップ１５が装備された一対の固定フレーム１２と、ステップ１５が装備され、一対の固定フレーム１２に固定フレーム１２の長さ方向にスライド移動可能に取り付けられた一対の第１スライドフレーム１３と、ステップ１５が装備され、一対の第１スライドフレーム１３に第１スライドフレーム１３の長さ方向にスライド移動可能に取り付けられた一対の第２スライドフレーム１４と、を備え、固定フレーム１２の長さ方向に伸縮可能に構成されている。つまり、第１梯子部１１は、伸縮可能な３連タイプの梯子である。第１係止具１６が、固定フレーム１２と第１スライドフレーム１３との一方に装備され、要事に両者の他方に係止されて両者の相対移動を阻止する。さらに、第２係止具１７が、第１スライドフレーム１３と第２スライドフレーム１４との一方に装備され、要事に両者の他方に係止されて両者の相対移動を阻止する。
【００１６】
このように構成された第１梯子部１１は、一対の固定フレーム１２の下端部を乗りかご２の上面に軸方向を奥行き方向とする第１軸１８周り回動可能に取り付けられて、乗りかご２の上面の安全柵５内の幅方向一側、かつ奥行き方向の前側に配設されている。
【００１７】
第２梯子部２０は、ステップ１５が装備された一対の回動フレーム２１を備える。そして、一対の回動フレーム２１の下端部を一対の第２スライドフレーム１４の先端部のそれぞれに、軸方向を奥行き方向とする第２軸２４周りに回動可能に連結されている。さらに、ストッパ２５が、一対の回動フレーム２１の下端部に形成されている。そして、回動フレーム２１が、図１中、第２軸２４周りに反時計回りに回動され、回動フレーム２１の長さ方向が第２スライドフレーム１４の長さ方向に一致したときに、ストッパ２５が第２スライドフレーム１４の先端部と係合し、それ以上の回動フレーム２１の回動が阻止される。
【００１８】
それぞれコ字状に作製された一対の手摺２２が、一対の回動フレーム２１のそれぞれから作業員登り面側に立設されて、相対して、かつ平行に配置されている。さらに、矩形平板状に作製された保護覆い２３が、一対の手摺２２の回動フレーム２１と反対側を連結し、ステップ１５に乗った作業員Ａの背面側を保護している。
【００１９】
ここで、第１梯子部１１は、第２スライドフレーム１４をスライドさせて第１スライドフレーム１３から引き出した第１伸長位置と、さらに第１スライドフレーム１３をスライドさせて固定フレーム１２から引き出して、固定フレーム１２、第１スライドフレーム１３および第２スライドフレーム１４が一直線に伸びた第２伸長位置と、第２スライドフレーム１４をスライドさせて第１スライドフレーム１３に引き入れ、第１スライドフレーム１３をスライドさせて固定フレーム１２に引き入れて、固定フレーム１２、第１スライドフレーム１３および第２スライドフレーム１４の長さが最短となる短縮位置と、をとる。
【００２０】
そして、第２スライドフレーム１４をスライドさせて第１スライドフレーム１３から引き出すと、第１係止具１６が作動し、両者の相対移動が阻止される。また、第１スライドフレーム１３をスライドさせて固定フレーム１２から引き出すと、第２係止具１７が作動し、両者の相対移動が阻止される。
【００２１】
第２梯子部２０は、第２軸２４周りに回動して、第２スライドフレーム１４の作業員登り面と反対側の面に沿った折りたたみ位置と、第２スライドフレーム１４から第２スライドフレームの長さ方向に一直線に伸びる伸長位置と、をとる。
【００２２】
なお、固定フレーム１２、第１スライドフレーム１３、第２スライドフレーム１４、ステップ１５、回動フレーム２１、および手摺２２の材料は、剛性を有していればよいが、軽量化の観点から、アルミニウムが好ましい。また、保護覆い２３の材料には、アルミニウムや鋼材が用いられている。
【００２３】
このように構成された保守点検装置１０は、第１梯子部１１を短縮位置とし、かつ第２梯子部２０を折りたたみ位置として、乗りかご２の上面に沿った収納位置と乗りかご２の上面から起立する起立位置との間を第１軸１８周りに回動可能に乗りかご２の上面に設置されている。そして、図３に示されるように、乗りかご２の上面に沿った収納位置に配置されて収納状態となった保守点検装置１０は、結束具（図示せず）などにより、乗りかご２の上面に固定される。また、保守点検装置１０は、保守点検作業時、第１梯子部１１が短縮位置をとり、かつ第２梯子部２０が伸長位置をとる第１の長さ、第１梯子部１１が第１伸長位置をとり、かつ第２梯子部２０が伸長位置をとる第２の長さ、および第１梯子部１１が第２伸長位置をとり、かつ第２梯子部２０が伸長位置をとる第３の長さの３段階の長さに調整可能となっている。
【００２４】
つぎに、制御盤６の保守点検作業について説明する。
【００２５】
まず、乗りかご２が特定のかご位置まで昇降運転される。そこで、作業員Ａは、乗りかご２の上面に上り、制御盤６の扉６ａを開けて、保守点検を行う。このとき、制御盤６の保守点検箇所が、作業員Ａの手の届く範囲であれば、図３に示されるように、作業員Ａは、乗りかご２の上面に立ち、保守点検作業を行う。
【００２６】
また、制御盤６の保守点検箇所が、作業員Ａの手の届く範囲でなければ、作業員Ａは、結束具による固定を解き、第１梯子部１１を起立させ、第２梯子部２０を伸長位置に位置させる。ついで、作業員Ａは、保守点検の高さ位置に合わせて、第１梯子部１１を短縮位置、第１伸長位置、又は第２伸長位置に位置させた後、第１軸１８周りに回動させて、制御盤６に立て掛ける。そして、作業員Ａは、図１および図２に示されるように、第１梯子部１１から第２梯子部２０に登り、第２梯子部２０、手摺２２および保護覆い２３により囲まれた作業スペースに入り、保守点検作業を行う。
【００２７】
このように、この実施の形態１によれば、伸縮可能に構成された第１梯子部１１および第２梯子部２０を備えているので、特定のかご位置で、保守点検位置に合わせて第１梯子部１１の長さを調整し、制御盤６の高さ全体を保守点検することができる。したがって、制御盤６を保守点検するために、乗りかご２を動かしてかご高さ位置を変更する必要がないので、保守点検作業効率を向上することができる。また、扉６ａを開けたままで、制御盤６の高さ全体を保守点検できるので、保守点検作業効率を向上することができる。
【００２８】
制御盤６の保守点検が可能となるかご高さ位置が複数ある場合には、保守点検が可能となるかご高さ位置に合わせて、制御盤６の扉６ａを複数に分割したり、制御盤６の筐体構造を複雑にする必要があった。しかし、この実施の形態１では、制御盤６の保守点検が可能となるかご高さ位置が１つであるので、保守点検が可能となるかご高さ位置に合わせて、制御盤６の扉６ａを複数に分割したり、制御盤６の筐体構造を複雑にする必要がなく、制御盤６の低コスト化が図られる。
【００２９】
第１梯子部１１の下端が軸方向を奥行き方向とする第１軸１８周りに回動可能に乗りかご２の上面の安全柵５の内側に取り付けられているので、非保守点検時には、第１梯子部１１を第１軸１８周りに乗りかご２の上面側に回動させ、保守点検装置１０を乗りかご２の上面に沿った状態に収納することができる。したがって、保守点検装置１０が乗りかご２の上面から過度に突出し、かご上機器と干渉したり、乗りかご２の運行の支障となるようなことがない。
【００３０】
保護覆い２３が第２梯子部２０の手摺２２に取り付けられているので、作業員Ａは、第２梯子部２０、手摺２２および保護覆い２３に囲まれた作業スペース内に入って保守点検することができ、作業の安全性が高められる。
【００３１】
回動フレーム２１の下端部が第２軸２４周りに回動可能に第２スライドフレーム１４の先端部に取り付けられているので、回動フレーム２１の保護覆い２３と反対側の面が第２スライドフレーム１４に近接するように第２梯子部２０を折り畳むことができる。したがって、保守点検装置１０を乗りかご２の上面に収納する際に、手摺２２と保護覆い２３が第１梯子部１１と干渉することがなく、保守点検装置１０を乗りかご２の上面に過度に突出させることなく収納することができる。
【００３２】
なお、上記実施の形態１では、制御盤６を保守点検する場合について述べたが、本保守点検装置１０は、その他の昇降路に設けられた保守点検対象機器の保守点検にも利用できることはいうまでもない。
【００３３】
また、上記実施の形態１では、第１梯子部１１は、下端部を乗りかご２の上面に軸方向を奥行き方向とする第１軸１８周り回動可能に取り付けられて、乗りかご２の上面の安全柵５内の幅方向一側、かつ奥行き方向の前側に配設されているが、第１軸１８の軸方向、および第１梯子部１１の乗りかご２の上面の安全柵５内における配設位置は、乗りかご２と保守点検対象機器との位置関係に合わせて適宜設定されることは言うまでもないことである。例えば、保守点検対象機器が、乗りかご２の奥行き方向後側と昇降路１の壁面との相対する領域内の幅方向一側に配設されていれば、第１梯子部１１は、下端部を乗りかご２の上面に軸方向を幅方向とする第１軸１８周り回動可能に取り付けられて、乗りかご２の上面の安全柵５内の幅方向一側、かつ奥行き方向の後側に配設される。
【００３４】
また、上記実施の形態１では、第１梯子部１１が伸縮可能な３連タイプの梯子に構成されているが、第１梯子部１１は、３連タイプに限定されず、昇降路１内に設置されている保守点検対象機器の長さに合わせて適宜設定すればよい。
【００３５】
また、上記実施の形態１では、保護覆い２３がアルミニウムや鋼材などの剛性を有する材料で作製されているが、保護覆い２３の材料は、剛性を有する材料に限定されず、作業員Ａを保護できればよく、例えば、縄、針金などで編んだ網などの可撓性材料でもよい。
【００３６】
また、上記実施の形態１では、第２梯子部２０を構成する一対の回動フレーム２１の下端部が一対の第２スライドフレーム１４の上端部に第２軸２４周りに回動可能に連結されているが、一対の回動フレーム２１は、一対の第２スライドフレーム１４に第２スライドフレーム１４の長さ方向にスライド移動可能に取り付けられてもよい。この場合、手摺２２および保護覆い２３を折りたたみ可能に構成し、保守点検装置を第１軸１８周りに乗りかご２の上面側に回動させる際に、手摺２２および保護覆い２３を折り畳んで、乗りかご２の上面との干渉を回避すればよい。
【符号の説明】
【００３７】
２  乗りかご、５  安全柵、１０  保守点検装置、１１  第１梯子部、１２  固定フレーム、１３  第１スライドフレーム、１４  第２スライドフレーム、１５  ステップ、１８  第１軸、２０  第２梯子部、２１  回動フレーム、２２  手摺、２３  保護覆い、２４  第２軸。
【図１】
2015229563.tif 000003
【図２】
2015229563.tif 000004
【図３】
2015229563.tif 000005